(57)【要約】【課題】洗浄時間が短くても、衣料に香料由来の香りをより強く付与できる衣料用液体洗浄剤組成物を提供する。【解決手段】（ａ）ＬｏｇＰが３以上、５以下である香料化合物、（ｂ）一般式（１）で表される陰イオン界面活性剤、（ｃ）総炭素数３以上、８以下のカルボン酸及び／又はその塩並びに水を含有し、（ｃ）／（ａ）質量比が０．１以上、８以下、（ａ）成分の含有量と（ｃ）成分の含有量の合計が０．５質量％以上、５質量％以下であり、（ａ）と（ｂ）の含有量の合計が、３質量％以上、７０質量％以下である衣料用液体洗浄剤組成物。      ＲＯ−〔（ＡＯ）p／（ＥＯ）q〕−ＳＯ3Ｍ          （１）〔式中、Ｒは炭素数８〜２２の炭化水素基、ＡＯは炭素数３〜４のアルキレンオキシ基、ＥＯはエチレンオキシ基、ｐは０．５〜５、ｑは０〜１０の平均付加モル数、Ｍは陽イオンであり、“／”はＡＯ基及びＥＯ基がランダム又はブロックのいずれに結合したものであってもよいことを示す。〕【選択図】なし【特許請求の範囲】
【請求項１】
下記（ａ）成分、（ｂ）成分、（ｃ）成分及び水を含有し、（ａ）成分の含有量と（ｃ）成分の含有量との質量比が、（ｃ）成分／（ａ）成分で、０．１以上、８以下であり、（ａ）成分の含有量と（ｃ）成分の含有量の合計が０．５質量％以上、５質量％以下であり、（ａ）成分の含有量と（ｂ）成分の含有量の合計が、３質量％以上、７０質量％以下である、衣料用液体洗浄剤組成物に関する。
（ａ）成分：ＬｏｇＰが３以上、５以下である香料化合物
（ｂ）成分：下記一般式（１）で表される陰イオン界面活性剤
ＲＯ−〔（ＡＯ）p／（ＥＯ）q〕−ＳＯ3Ｍ          （１）
〔式中、Ｒは炭素数８以上、２２以下の炭化水素基を示し、ＡＯは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。“／”はＡＯ基及びＥＯ基がランダム又はブロックのいずれに結合したものであってもよいことを示す。Ｍは陽イオンである。〕
（ｃ）成分：総炭素数３以上、８以下のカルボン酸及びその塩から選ばれる１種以上の化合物
【請求項２】
更に（ｄ）成分として、下記一般式（２）で表される非イオン界面活性剤を含有し、（ｂ）成分の含有量と（ｄ）成分の含有量との質量比が、（ｄ）成分／（ｂ）成分で、０．１以上、１０以下である、請求項１記載の衣料用液体洗浄剤組成物。
Ｒ1Ｏ−（ＥＯ）m−Ｈ        （２）
〔式中、Ｒ1は炭素数８以上、１８以下の炭化水素基を示し、ＥＯはエキレンオキシ基を示し、ｍは平均付加モル数を示し、１以上、１０以下の数である。〕
【請求項３】
更に（ｆ）成分として、炭素数１２以上、１８以下の脂肪酸及びその塩を含有し、（ｃ）成分の含有量に対する（ｆ）成分の含有量の質量比が、（ｆ）成分／（ｃ）成分で、２以上、８以下である、請求項１又は２に記載の衣料用液体洗浄剤組成物。
【請求項４】
（ｆ）成分中の不飽和基を有する炭素数１４以上、１８以下の脂肪酸の含有量が１０質量％以上、７０質量％以下である、請求項３に記載の衣料用液体洗浄剤組成物。
【請求項５】
洗浄時間が１分以上、７分以下の洗浄方法に用いられる、請求項１〜４の何れかに記載の衣料用液体洗浄剤組成物。
【請求項６】
水１リットルに対して、請求項１〜５の何れかに記載の衣料用液体洗浄剤組成物を０．１ｇ以上、２ｇ以下の割合で添加して調製した洗浄液で、衣料の質量（ｋｇ）と前記洗浄液の量（リットル）で表される浴比が、洗浄液の量（リットル）／衣料の質量（ｋｇ）＝３以上、５０以下の条件で、衣料を１分間以上、７分間以下洗浄する、衣料の洗浄方法。
【請求項７】
衣料の洗浄を、回転式洗濯機を用いて行う、請求項６に記載の衣料の洗浄方法。
【発明の詳細な説明】
【技術分野】
【０００１】
本発明は、衣料用液体洗浄剤組成物に関する。
【背景技術】
【０００２】
衣料には、泥汚れなどの粒子汚れ、食べこぼしなどの染み汚れ、皮脂汚れなど、さまざまな汚れが付着するため、衣料用洗剤にはこれらすべての汚れに対して高い洗浄力が求められる。これらの中でも泥汚れなどの粒子汚れは分散ポリマーや陰イオン界面活性剤が効果的であり、食べこぼしなどの染み汚れは漂白剤や陰イオン界面活性剤が有効であり、皮脂汚れなどは非イオン界面活性剤を用いると有効であることが一般的に知られている。そのため、通常、衣料用の洗浄剤組成物には、複数の界面活性剤を組み合わせて用いることが行われる。
【０００３】
界面活性剤や溶剤を組み合わせた洗浄剤組成物として、特許文献１には、（ａ）アルキレンオキシドの平均付加モル数が１６〜３５である非イオン界面活性剤、（ｂ）炭素数３及び／又は４のアルキレンオキシ基を有する陰イオン界面活性剤、並びに（ｃ）特定の溶剤を含有し、界面活性剤の濃度が高い液体洗浄剤組成物が開示されている。
【０００４】
一方、洗浄した衣料を賦香するために、洗浄剤に香料を配合することも従来行われている。例えば、特許文献２には、ＬｏｇＰが３以上である香料化合物を含有する液体洗浄剤組成物が開示されている。また、前記特許文献１においても、また、任意成分として香料が使用されている。
【０００５】
一方、全自動洗濯機においては、標準コース以外にも、洗濯時間を短くできる洗濯コース（スピードコースと呼ばれることもある）が備えられている機種が存在する。洗濯時間を短くするコースにおいては、すすぎ回数を少なくしたり、洗浄剤組成物で衣料を洗浄する時間を通常１０分以上洗濯するところを、７分以下に短くすることが行われている。
【先行技術文献】
【特許文献】
【０００６】
【特許文献１】特開２０１１−２０８１３０号公報
【特許文献２】特開２０１２−８７２２８号公報
【発明の概要】
【発明が解決しようとする課題】
【０００７】
本発明者らの調査により、全自動洗濯機において洗濯時間を短くするコースを選択した場合、すすぎの回数の低減や、洗浄時間の短縮等の動作が行われる。その場合、洗浄直後の脱水後の衣料から香る香りの香調が代わり、且つ香りの強さが低下することが新たに見い出された。作業者は、洗浄時間が短くても、通常の洗濯コースと同じように衣料に香りが残ることを期待するため、洗浄時間が短い場合でも、衣料に十分に着香できることが望まれる。ところが、通常の洗濯コースと同等の香調で、且つ強さが向上することを期待して、香料の含有量を増加させた液体洗浄剤組成物を用いても、経済性に見合う十分な効果は得られない。
【０００８】
本発明は、洗浄時間が短くても、洗浄工程の後の脱水後の衣料に香料由来の香りをより強く付与できる、衣料用液体洗浄剤組成物を提供する。
【課題を解決するための手段】
【０００９】
本発明は、下記（ａ）成分、（ｂ）成分、（ｃ）成分及び水を含有し、（ａ）成分の含有量と（ｃ）成分の含有量との質量比が、（ｃ）成分／（ａ）成分で、０．１以上、８以下であり、（ａ）成分の含有量と（ｃ）成分の含有量の合計が０．５質量％以上、５質量％以下であり、（ａ）成分の含有量と（ｂ）成分の含有量の合計が、３質量％以上、７０質量％以下である、衣料用液体洗浄剤組成物に関する。
（ａ）成分：ＬｏｇＰが３以上、５以下である香料化合物
（ｂ）成分：下記一般式（１）で表される陰イオン界面活性剤
ＲＯ−〔（ＡＯ）p／（ＥＯ）q〕−ＳＯ3Ｍ          （１）
〔式中、Ｒは炭素数８以上、２２以下の炭化水素基を示し、ＡＯは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。“／”はＡＯ基及びＥＯ基がランダム又はブロックのいずれに結合したものであってもよいことを示す。Ｍは陽イオンである。〕
（ｃ）成分：総炭素数３以上、８以下のカルボン酸及びその塩から選ばれる１種以上の化合物
【００１０】
また、本発明は、水１リットルに対して、上記本発明の衣料用液体洗浄剤組成物を０．１ｇ以上、２ｇ以下の割合で添加して調製した洗浄液で、衣料の質量（ｋｇ）と前記洗浄液の量（リットル）で表される浴比が、洗浄液の量（リットル）／衣料の質量（ｋｇ）＝３以上、５０以下の条件で、衣料を１分間以上、７分間以下洗浄する、衣料の洗浄方法に関する。
【発明の効果】
【００１１】
本発明によれば、本発明は、洗浄時間が短くても、洗浄工程の後の脱水後の衣料に香料由来の香りをより強く付与できる、衣料用液体洗浄剤組成物が提供される。本発明の衣料用液体洗浄剤組成物では、洗浄時間が十分な標準コースと同等の香りを、洗浄時間が短くても衣料に残すことができる。そのため、洗浄時間を短縮することが可能である。
【発明を実施するための形態】
【００１２】
本発明者らは、（ａ）成分と（ｃ）成分を特定の質量比で配合し、（ｂ）成分を配合することで、洗浄時間が十分な標準コースと同等の香りを、洗浄時間が短くても達成できることを見出した。以下、本発明について説明するが、「接触時間が十分な標準コースと同等の香調を、同等の強さで、洗浄時間が短くても達成できる」という意味を「着香速度が速い」又は「着香速度が向上できる」と表現する場合がある。
【００１３】
＜（ａ）成分＞
（ａ）成分は、ＬｏｇＰが３以上、５以下である香料化合物である。残香性の点で、（ａ）成分のＬｏｇＰは、３．２以上が好ましい。また、４．８以下が好ましく、４．６以下がより好ましい。ここで、ＬｏｇＰとは、有機化合物の水と１−オクタノールに対する親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ＬｏｇＰの形で示すのが一般的である。
【００１４】
多くの化合物のＬｏｇＰ値が報告され、Daylight Chemical Information Systems, Inc. (Daylight CIS)などから入手しうるデータベースには多くの値が掲載されているので参照できる。実測のＬｏｇＰ値がない場合には、Daylight CISから入手できるプログラム“CLOGP"で計算すると最も便利である。このプログラムは、実測のＬｏｇＰ値がある場合にはそれと伴に、Hansch, Leoのフラグメントアプローチにより算出される“計算ＬｏｇＰ（ＣｌｏｇＰ）”の値を出力する。
【００１５】
フラグメントアプローチは化合物の化学構造に基づいており、原子の数及び化学結合のタイプを考慮している(cf. A. Leo, Comprehensive Medicinal Chemistry, Vol.4, C. Hansch, P.G. Sammens, J.B. Taylor and C.A. Ramsden, Eds., p.295, Pergamon Press, 1990)。このＣＬｏｇＰ値は現在最も汎用的で信頼できる推定値であるので、化合物の選択に際して実測のＬｏｇＰ値の代わりに用いることができる。本発明では、ＬｏｇＰの実測値があればそれを、無い場合はプログラムCLOGP v4.01により計算したＣＬｏｇＰ値を用いる。
【００１６】
ＬｏｇＰが３以上、５以下の香料化合物として、例えば
ｉ）α−ピネン（4.2）、β−ピネン（4.2）、カンフェン（4.2）、リモネン（4.4）、テルピノーレン（4.4）、ミルセン（4.3）、ｐ−サイメン（4.1）から選ばれる、香料として用いられる炭化水素化合物、
ii）サンダルマイソールコア（3.9）、サンタロール（3.9）、ｌ−メントール（3.2）、シトロネロール（3.3）、ジヒドロミルセノール（3.0）、エチルリナロール（3.1）、ムゴール（3.0）、ネロリドール（4.6）から選ばれる、香料として用いられるアルコール、
iii）アルデヒドＣ−１１１（4.1）、グリーナール（3.1）、シトラール（3.1）、シトロネラール（3.3）、アミルシンナミックアルデヒド（4.3）、ヘキシルシンナミックアルデヒド（4.9）、リリアール（3.9）、ジヒドロジャスモン（3.1）、イオノンα（3.7）、メチルイオノンα（4.2）、メチルイオノンＧ（4.0）から選ばれる、香料として用いられるアルデヒド化合物、香料として用いられるケトン化合物、
iv）ヘプチルアセテート（3.4）、シトロネリルアセテート（4.2）、ゲラニルアセテート（3.7）、リナリルアセテート（3.5）、エチルシンナメート（3.0）、ベンジルサリシレート（4.2）、イソブチルサリシレート（3.9）から選ばれる、香料として用いられるエステル化合物、
ｖ）チモール（3.4）、バニトロープ（3.1）から選ばれる、香料として用いられるフェノール化合物、
vi）シトロネリルエチルエーテル（4.4）、アネトール（3.3）、ネロリンヤラヤラ（3.2）、エステラゴール（3.1）、メチルイソオイゲノール（3.0）から選ばれる、香料として用いられるエーテル化合物
を挙げることができる。なお、（  ）内はＬｏｇＰ値である。
【００１７】
（ｂ）成分であるポリオキシアルキレン基に溶け込みやすく、洗浄液中で（ｂ）成分と共に衣料に接触しやすい点で、（ａ）成分は、環状構造を有するＬｏｇＰが３以上、５以下の香料化合物を含むことが好ましい。環状構造としては、炭素数５、炭素数６、炭素数７又は炭素数１０の環状炭化水素基が挙げられる。
【００１８】
環状構造を有するＬｏｇＰが３以上、５以下の香料化合物として、具体的には、
vii）α−ピネン（4.2）、β−ピネン（4.2）、カンフェン（4.2）、リモネン（4.4）、テルピノーレン（4.4）、ｐ−サイメン（4.1）から選ばれる、香料として用いられる炭化水素化合物、
viii）サンダルマイソールコア（3.9）、サンタロール（3.9）、ｌ−メントール（3.2）、から選ばれる、香料として用いられるアルコール、
ix）アミルシンナミックアルデヒド（4.3）、ヘキシルシンナミックアルデヒド（4.9）、リリアール（3.9）、ジヒドロジャスモン（3.1）、イオノンα（3.7）、メチルイオノンα（4.2）、メチルイオノンＧ（4.0）から選ばれる、香料として用いられるアルデヒド化合物、香料として用いられるケトン化合物、
x）エチルシンナメート（3.0）、ベンジルサリシレート（4.2）、イソブチルサリシレート（3.9）から選ばれる、香料として用いられるエステル化合物、
xi）チモール（3.4）、バニトロープ（3.1）から選ばれる、香料として用いられるフェノール化合物、
xii）アネトール（3.3）、ネロリンヤラヤラ（3.2）、エステラゴール（3.1）、メチルイソオイゲノール（3.0）から選ばれる、香料として用いられるエーテル化合物
を挙げることができる。
【００１９】
本発明では、（ａ）成分以外の香料化合物として、ＬｏｇＰが３未満、好ましくは２．８以下の香料を使用することができる。ＬｏｇＰが３未満の香料としては、たとえば、テルピネオール（2.6）、ゲラニオール（2.8）、リナロール（2.6）、ミルセノール（2.6）、ネロール（2.8）、シス−ジャスモン（2.6）、フェニルエチルアセテート（2.1）、アリルアミルグリコレート（2.5）、リファローム（2.3）、シス−３−ヘキシルアセテート（2.3）、スチラリルアセテート（2.3）、ｏ−ｔ−ブチルシクロヘキサノン（2.3）、ｐ−ｔ−ブチルシクロヘキサノン（2.3）、アセチルオイゲノール（2.8）、シンナミルアセテート（2.4）、オイゲノール（2.4）、イソオイゲノール（2.6）、モスシンス（2.9）、アニソール（2.1）、メチルオイゲノール（2.8）、クマリン（1.4）、フェニルエチルアルコール(1.2)等を挙げることができる。
【００２０】
本発明では、全香料化合物中、（ａ）成分の比率が４０質量％以上、更に５０質量％以上、更に６０質量％以上、そして、９０質量％以下、更に８０質量％以下、更に７５質量％以下であることが好ましい。
本発明では、（ａ）成分中、環状構造を有する（ａ）成分の比率が３０質量％以上、更に４０質量％以上、更に５０質量％以上、そして、８０質量％以下であることが好ましい。
【００２１】
香料化合物は「香料と調香の基礎知識」（中島基貴 著、産業図書株式会社発行、１９９６年第２版）や、「香料の実際知識」（印藤元一 著、東洋経済新報社発行、１９８５年第２版）を参考にすることができる。
【００２２】
＜（ｂ）成分＞
（ｂ）成分は、（ａ）成分と併用することで、（ｂ）成分を含む液体洗浄剤組成物と水とを含有する組成物と衣料との接触時間が短時間でも、接触後の脱水直後の衣料に香りを付与することができる。
【００２３】
本発明で用いられる（ｂ）成分の陰イオン界面活性剤は、下記一般式（１）で表される化合物である。
ＲＯ−〔（ＡＯ）p／（ＥＯ）q〕−ＳＯ3Ｍ          （１）
〔式中、Ｒは炭素数８以上、２２以下の炭化水素基を示し、ＡＯは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。“／”はＡＯ基及びＥＯ基がランダム又はブロックのいずれに結合したものであってもよいことを示す。Ｍは陽イオンである。〕
【００２４】
（ｂ）成分の一般式（１）中、Ｒは炭素数８以上、２２以下の炭化水素基である。Ｒは、洗浄工程の後の脱水後の衣料から（ａ）成分である香料由来の香りを香らせる点で炭素数８以上であり、１０以上、更に１２以上が好ましく、そして、１６以下、更に１４以下が好ましい。Ｒの炭化水素基としては、原料の入手性の点から、アルキル基、アルケニル基が好ましく、アルキル基がより好ましい。Ｒは、（ａ）成分である香料化合物由来の香りを香らせる点や原料の入手性の点から、直鎖の炭化水素基が好ましい。Ｒは、炭素数１２以上、１４以下のアルキル基、更に直鎖アルキル基が好ましい。一般式（１）において酸素原子に結合するＲの炭素原子は第１級の炭素原子が好ましい。
【００２５】
一般式（１）中のＡＯである炭素数３のアルキレンオキシ基及び炭素数４のアルキレンオキシ基から選ばれるアルキレンオキシ基としては、オキシトリメチレン基、オキシプロパン−１，２−ジイル基、オキシブタン−１，２−ジイル基、オキシブタン−１，３−ジイル基、オキシブタン−２，３−ジイル基、オキシテトラメチレン基から選ばれる１種以上の基が挙げられる。入手性の点から、オキシプロパン−１，２−ジイル基〔一般的にプロピレンオキシ基と呼ばれることもある。〕、オキシブタン−１，２−ジイル基（一般的にブチレンオキシ基と呼ばれることもある。）がより好ましく、特にオキシプロパン−１，２−ジイル基が最も好ましい。
【００２６】
一般式（１）中のｐは、ＡＯの平均付加モル数であり、０．５以上、５以下の数である。洗浄工程の後の脱水後の衣料に対する残香性を高める点から、ｐは、好ましくは０．８以上であり、より好ましくは１以上であり、更に好ましくは１．５以上であり、より更に好ましくは１．８以上である。洗浄工程の後の脱水後の衣料に対する残香性を高める点から、ｐは、５以下であり、好ましくは４以下であり、より好ましくは３以下である。
【００２７】
一般式（１）中のｑは、ＥＯの平均付加モル数であり、洗浄工程の後の脱水後の衣料から（ａ）成分である香料由来の香りを強く香らせる点から、０以上、１０以下の数である。ｑは、好ましくは０．５以上であり、より好ましくは０．８以上であり、更に好ましくは１以上、より更に好ましくは２以上の数である。洗浄工程の後の脱水後の衣料に対する残香性を高める点から、ｑは、１０以下であり、好ましくは８以下であり、より好ましくは５以下であり、更に好ましくは３以下の数である。
【００２８】
一般式（１）の陰イオン界面活性剤は、衣料に（ａ）成分由来の香りを強く付与できる点で、ＡＯとＥＯとがブロックで結合していることが好ましい。その場合、ＲＯ−に、（ＡＯ）p−（ＥＯ）q−の順にブロック結合していることが好ましい。すなわち、一般式（１）の陰イオン界面活性剤としては、ＲＯ−（ＡＯ）p−（ＥＯ）q−ＳＯ3Ｍで表される化合物が好ましい。
【００２９】
また、一般式（１）中のＭは陽イオンである。Ｍの好ましい例は、水素イオン、アルカリ金属イオン、アルカリ土類金属イオン、アンモニウムイオン、及び炭素数１以上、６以下のアルカノールアンモニウムイオンが挙げられる。
【００３０】
アルカリ金属イオンとしては、ナトリウムイオン、カリウムイオン、リチウムイオンが挙げられ、アルカリ土類金属イオンとしては、マグネシウムイオンが挙げられ、炭素数１以上、６以下のアルカノールアンモニウムイオンとしては、モノエタノールアンモニウムイオン、トリエタノールアンモニウムイオンが挙げられる。これらの中では、洗浄力の点で、ナトリウムイオン、カリウムイオンのアルカリ金属イオン又はモノエタノールアンモニウムイオンが好ましく、モノエタノールアンモニウムイオンがより好ましい。
【００３１】
一般式（１）で表される陰イオン界面活性剤の製法は特に限定されない。例えば、炭素数８以上、２２の炭化水素基を有するアルコール、好ましくは炭素数１０以上、１４以下の直鎖１級の脂肪族飽和アルコール１モルに、炭素数３のアルキレンオキサイド及び／又は炭素数４のアルキレンオキサイド、好ましくはプロピレンオキサイドを０．５モル以上、好ましくは０．８モル以上、より好ましくは１モル以上、更に好ましくは１．５モル以上、より更に好ましくは１．８モル以上、そして、５モル以下、好ましくは３モル以下の量で付加させた中間化合物（１）を得る。次に中間化合物（１）に対してエチレンオキサイドを０モル以上、好ましくは０．５モル以上、より好ましくは０．８モル以上、より好ましくは１モル以上、更に好ましくは１．５モル以上、より更に好ましくは１．８モル以上、そして、１０モル以下、好ましくは８モル以下、より好ましくは５モル以下、更に好ましくは３モル以下の量で付加させて中間化合物（２）を得る。次に中間化合物（２）を硫酸化し、場合によっては中和することで一般式（１）で表される陰イオン界面活性剤を得ることができる。また、前記の製造方法の例において、原料のアルコールに対して、前記アルキレンオキシド、好ましくはプロピレンオキシドと、エチレンオキシドを付加する順番を変えることや、ランダムに付加させることもできる。
【００３２】
＜（ｃ）成分＞
（ｃ）成分は、炭素数３以上、８以下のカルボン酸及びその塩から選ばれる１種以上の化合物である。（ｃ）成分を（ａ）成分と（ｂ）成分と所定条件で併用することで、衣料と洗浄液の接触時間が１分以上、７分以下の短い接触時間でも、洗浄工程の後の脱水後の衣料に（ａ）成分である香料化合物由来の香りを、強く付与することが出来る。
【００３３】
（ｃ）成分の具体例としては、以下の（ｃ１）及び（ｃ２）から選ばれる１種以上の化合物が挙げられる。
（ｃ１）総炭素数が３以上、７以下である２価のカルボン酸、及び総炭素数が４以上、７以下である３価のカルボン酸、並びにこれらの塩から選ばれる１種以上の化合物。
具体的には、マロン酸、コハク酸、グルタル酸、クエン酸、及びこれらの塩から選ばれる１種以上の化合物が挙げられる。
（ｃ２）総炭素数が７又は８であり分子内に芳香族基を有する１価のカルボン酸、及びこれらの塩から選ばれる１種以上の化合物。
具体的には、安息香酸、メチル安息香酸、サリチル酸、フタル酸、イソフタル酸、テレフタル酸、及びこれらの塩から選ばれる１種以上の化合物が挙げられる。
【００３４】
（ｃ）成分の塩としては、アルカリ金属塩、例えばナトリウム塩、カリウム塩、アルカリ土類金属塩、例えばマグネシウム塩、アルカノールアミン塩、例えばモノエタノールアミン塩、トリエタノールアミン塩が挙げられる。
【００３５】
洗浄工程の後の脱水後の衣料に対する残香性を高める点から、（ｃ）成分としては、クエン酸、リンゴ酸、コハク酸、安息香酸、及びこれらの塩から選ばれる１種以上の化合物が好ましく、クエン酸、安息香酸、及びこれらの塩から選ばれる１種以上の化合物がより好ましく、安息香酸、及びその塩から選ばれる１種以上の化合物が特に好ましい。
【００３６】
＜水＞
本発明の衣料用液体洗浄剤組成物は、０℃〜４０℃における状態を液体状態とする為に、水を含有する。水は脱イオン水（イオン交換水とも言う場合もある）や次亜塩素酸ソーダをイオン交換水に対して１ｍｇ／ｋｇ以上、５ｍｇ／ｋｇ以下、添加した水を使用することが出来る。
【００３７】
＜衣料用液体洗浄剤組成物＞
（ａ）成分の含有量と（ｂ）成分の含有量の質量比は、洗浄工程の後の脱水後の衣料への残香性を高める点で、（ａ）成分／（ｂ）成分で、０．０１５以上が好ましく、０．０２以上がより好ましい。また、（ａ）成分由来の香りを洗浄工程の後の脱水後の衣料から香らせる点で、前記質量比は、０．０８以下が好ましく、０．０６以下がより好ましい。
【００３８】
なお、本発明では、（ｂ）成分及び（ｃ）成分は、酸であっても塩であっても、酸型の化合物、すなわちカルボキシル基の対イオンを水素原子イオンと仮定した化合物の質量を（ｂ）成分の質量として質量比や質量％を算出するものとする。
【００３９】
本発明の衣料用液体洗浄剤組成物において、（ａ）成分の含有量と（ｂ）成分の含有量の合計量は、一定の使用量に対してより高い着香効果を得る点、及び当該組成物の１回当たりの使用量を少なくできる点から、３質量％以上であり、１０質量％以上が好ましく、１５質量％以上がより好ましい。また、衣料用液体洗浄剤組成物の使用量が少なすぎず適度な使用勝手で使用できる点で、（ａ）成分の含有量と（ｂ）成分の含有量の合計は、７０質量％以下であり、６０質量％以下が好ましく、４０質量％以下がより好ましく、３０質量％以下が更に好ましい。
【００４０】
また、本発明の衣料用液体洗浄剤組成物では、洗浄工程の後の脱水後の衣料に対して（ａ）成分由来の香りを、強く付与できる点から、（ａ）成分の含有量と（ｃ）成分の含有量との質量比が、（ｃ）成分／（ａ）成分で、０．１以上、８以下である。（ａ）成分由来の香りを洗浄工程の後の脱水後の衣料から香らせる点で、前記質量比は、０．１５以上が好ましく、０．２以上がより好ましく、０．５以上がより好ましく、１．０以上がより好ましく、１．３以上がより好ましい。経済性の観点から、前記質量比は、７以下が好ましく、６以下がより好ましく、５以下が更に好ましい。
【００４１】
また、本発明の衣料用液体洗浄剤組成物では、洗浄工程の後の脱水後の衣料に対して（ａ）成分由来の香りを、強く付与できる点から、（ａ）成分の含有量と（ｃ）成分の含有量の合計が、０．５質量％以上、５質量％以下である。（ａ）成分由来の香りを洗浄工程の後の脱水後の衣料から香らせる点で、０．６質量％以上が好ましく、０．７質量％以上がより好ましく、０．８質量％以上が更に好ましく、１．０質量％以上がより好ましく、１．５質量％以上がより好ましい。経済性の観点から、４．５質量％以下が好ましく、４質量％以下がより好ましい。
【００４２】
（ｃ）成分が、（ｃ１）総炭素数が３以上、７以下である２価のカルボン酸、及び総炭素数が４以上、７以下である３価のカルボン酸から選ばれる１種以上の化合物、並びにこれらの塩から選ばれる１種以上の化合物〔以下、（ｃ１）成分という〕である場合は、（ａ）成分の含有量と（ｃ１）成分の含有量との質量比が、（ｃ１）成分／（ａ）成分で、０．１以上、８以下であり、（ａ）成分由来の香りを衣料から香らせる点で、前記質量比は０．１５以上が好ましく、０．２以上がより好ましく、０．５以上が更に好ましい。経済性の点で、前記質量比は７以下が好ましく、６以下がより好ましく、５以下が更に好ましい。
【００４３】
（ｃ）成分が、（ｃ２）総炭素数が７又は８であり分子内に芳香族基を有する１価のカルボン酸及びこれらの塩から選ばれる１種以上の化合物〔以下、（ｃ２）成分という〕である場合は、（ａ）成分の含有量と（ｃ２）成分の含有量との質量比が、（ｃ２）成分／（ａ）成分で、０．１以上、８以下であり、（ａ）成分由来の香りを洗浄工程の後の脱水後の衣料から香らせる点で、前記質量比は０．１５以上が好ましく、０．２以上がより好ましく、０．５以上が更に好ましい。経済性の点で、前記質量比は７以下が好ましく、６以下がより好ましく、５以下が更に好ましい。
【００４４】
水の含有量は、全配合原料の合計含有量を１００質量％としたときの、前記（ａ）成分、（ｂ）成分、（ｃ）成分、及び後述の（ｄ）成分等の任意成分の合計含有量を除く残部である。本発明の組成物は、洗浄に使用する水に添加した際に速やかに分散することで、着香速度をより向上できる。その観点から、本発明の組成物において、水の含有量は、５質量％以上が好ましく、８質量％以上がより好ましい。
【００４５】
本発明の衣料用液体洗浄剤組成物は、洗浄工程の後の脱水後の衣料に（ａ）成分由来の香りをより香らせることが出来る点で、更に下記（ｄ）成分の非イオン界面活性剤を含有することができる。
（ｄ）成分：下記一般式（２）で表される非イオン界面活性剤
Ｒ1Ｏ−（ＥＯ）m−Ｈ        （２）
〔式中、Ｒ1は炭素数８以上、１８以下の炭化水素基を示し、ＥＯはエキレンオキシ基を示し、ｍは平均付加モル数を示し、１以上、１０以下の数である。〕
【００４６】
（ｄ）成分の一般式（２）中、Ｒ1は炭素数８以上、１８以下の炭化水素基であり、洗浄工程の後の脱水後の衣料に（ａ）成分である香料由来の香りを賦与できる点から、炭素数１０以上、そして、１６以下、更に１４以下の炭化水素基が好ましい。Ｒ1の炭化水素基としては、原料の入手性の点から、アルキル基、アルケニル基が好ましく、アルキル基がより好ましい。Ｒ1は、原料の入手性の点から、直鎖又は分岐鎖の炭化水素基が好ましく、直鎖の炭化水素基がより好ましい。一般式（２）において酸素原子に結合するＲ1の炭素原子は、第１級の炭素原子でもよく、第２級の炭素原子でもよい。
【００４７】
一般式（２）の化合物を得る方法は、特に限定されるものではないが、炭素数８以上、１８以下の炭化水素基を有するアルコールに、エチレンオキシドを付加反応することによって得ることができる。エチレンオキシドの平均付加モル数ｍは、１以上、１０以下である。着香速度が向上できる点から、ｍは１以上であり、２以上、更に２．５以上、更に３以上が好ましい。また、香りの強さの点で、１０以下であり、９以下、更に８以下が好ましい。
【００４８】
（ｄ）成分としては、原料の入手性と着香速度が向上できる観点から、一般式（２）中のＲ1が炭素数１０以上、１４以下の直鎖の１級又は２級のアルキル基であり、平均付加モル数であるｍが３以上、８以下の数である非イオン界面活性剤が好ましい。
【００４９】
（ｄ）成分は（ｂ）成分と併用することで、（ａ）成分の洗浄工程の後の脱水後の衣料への残香性を高めることが出来る。（ｄ）成分を含有する場合、（ｂ）成分の含有量と（ｄ）成分の含有量との質量比が、（ｄ）成分／（ｂ）成分で、０．１以上、更に０．２以上が好ましく、そして、１０以下、更に８以下、更に５以下、更に４以下が好ましい。
【００５０】
また、本発明の衣料用液体洗浄剤組成物は、洗浄工程の後の脱水後の衣料への残香性を高める点で、（ｅ１）成分として、分子内に水酸基を１つ以上有する有機溶剤を含有することが好ましい。有機溶剤は、着香速度が向上できる点で、分子内に水酸基及びエーテル基を有する有する有機溶剤が好ましい。
【００５１】
分子内に水酸基を１つ以上有する有機溶剤としては、以下の（ｅ１−１）成分〜（ｅ１−３）成分から選ばれる１種以上の化合物が挙げられる。
（ｅ１−１）成分：炭素数２以上、６以下の２価以上、６価以下のアルコール〔（ｅ１−３）成分を除く〕
例えばエチレングリコール、プロピレングリコール、ブチレングリコール、ヘキシレングリコール及びグリセリンから選ばれる２価又は３価のアルコールが挙げられる。
（ｅ１−２）成分：炭素数２以上、４以下のアルキレングリコール単位を含有するポリアルキレングリコール
例えばジエチレングリコール、トリエチレングリコール、テトラエチレングリコール、ジプロピレングリコール及びトリプロピレングリコールから選ばれるポリアルキレングリコールが挙げられる。
（ｅ１−３）成分：炭素数２以上、４以下のアルキレングリコール単位と、炭素数１以上、４以下のアルキル基とを有する、（モノ又はポリ）アルキレングリコールのモノアルキルエーテル
例えばジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール及び１−エトキシ−２−プロパノールから選ばれる化合物が挙げられる。
【００５２】
前記（ｅ１−３）成分において「（モノ又はポリ）アルキレングリコール」なる用語は、モノアルキレングリコール又はポリアルキレングリコールを意味する。また、「ポリアルキレングリコール」とは、アルキレングリコール単位が１分子内に９個以下の量で含有することを意味する。
【００５３】
（ｅ１）成分は、プロピレングリコール及びジエチレングリコールモノブチルエーテルから選ばれる有機溶剤、更にジエチレングリコールモノブチルエーテルが好ましい。
【００５４】
（ｅ１）成分の含有量は、洗浄工程の後の脱水後の衣料への残香性を高める点から、組成物中、５質量％以上が好ましく、１０質量％以上がより好ましく、１３質量％以上が更に好ましい。経済性や保存安定性の点から、（ｅ１）成分の含有量は、組成物中、４０質量％以下が好ましく、３５質量％以下がより好ましく、２５質量％以下が更に好ましい。
【００５５】
本発明の衣料用液体洗浄剤組成物は、アルカリ剤〔以下、（ｅ２）成分という〕を含有することが洗浄力の点から好ましい。アルカリ剤は、アルカリ金属水酸化物、アルカリ金属炭酸塩などの他に、窒素原子に結合する基のうち、１つ以上、３つ以下が炭素数２以上、４以下のアルカノール基であり、残りが炭素数１以上、４以下のアルキル基又は水素原子であるアルカノールアミンを挙げることができる。このうちアルカノール基はヒドロキシアルキル基、更にヒドロキシエチル基であるものが好ましい。アルカノール基以外は水素原子、又はメチル基が好ましく、特に水素原子が好ましい。アルカノールアミンとしては、２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、トリエタノールアミン等のアルカノールアミン類が挙げられる。本発明では、（ｅ２）成分として、モノエタノールアミン及びトリエタノールアミンから選ばれるアルカノールアミンが好ましく、モノエタノールアミンがより好ましい。
【００５６】
本発明の衣料用液体洗浄剤組成物は、（ｅ２）成分を、組成物中、０．０１質量％以上、更に０．５質量％以上、そして、１０質量％以下、更に８質量％以下含有することが好ましい。なかでも、（ｅ２）成分としてアルカノールアミンを、０．５質量％以上、更に１質量％以上、更に３質量％以上、そして、８質量％以下、更に７質量％以下、更に６質量％以下含有することが好ましい。なお、本発明では、（ｅ２）成分のアルカリ剤、中でもアルカノールアミンの含有量には、（ａ）成分や（ｂ）成分の対イオンなど、他の成分に由来して組成物中に取り込まれる分も算入するものとする。
【００５７】
本発明の衣料用液体洗浄剤組成物は、洗浄工程の後の脱水後の衣料に（ａ）成分由来の香りをより香らせることが出来る点で、更に下記（ｆ）成分の脂肪酸及びその塩を含有することができる。
（ｆ）成分：炭素数１２以上、１８以下の脂肪酸及びその塩
【００５８】
（ｆ）成分である脂肪酸は、洗浄液中の硬度成分であるカルシウムイオン及びマグネシウムイオンから選ばれる１種以上のイオンと結合し、疎水性が高まることで、（ｃ）成分と相まって、（ａ）成分である香料化合物を衣料に吸着させることができる。
【００５９】
洗浄工程の後の脱水後の衣料に（ａ）成分である香料由来の香りを賦与できる点から、（ｆ）成分は、不飽和基を有する炭素数１４以上、１８以下の脂肪酸が好ましい。脂肪酸が不飽和基を有することで、（ａ）成分が洗濯工程での洗浄液中で（ｆ）成分が形成する会合体に取り込まれやすくなり（ｆ）成分と共に衣料に吸着しやすくなる。（ｆ）成分中の不飽和基を有する炭素数１４以上、１８以下の脂肪酸の含有量は、１０質量％以上であることが好ましく、１５質量％以上がより好ましく、２０質量％以上がより好ましい。そして、洗浄工程の後の脱水後の衣料に（ａ）成分である香料由来の香りを賦与できる点で、（ｆ）成分中の不飽和基を有する炭素数１４以上、１８以下の脂肪酸の含有量は、６０質量％以下が好ましく、５０質量％以下がより好ましく、４０質量％以下がより好ましい。
【００６０】
本発明の衣料用液体洗浄剤組成物では、洗浄工程の後の脱水後の衣料に（ａ）成分である香料由来の香りを賦与できる点から、（ｃ）成分の含有量に対する（ｆ）成分の含有量の質量比は、（ｆ）成分／（ｃ）成分で、２以上、８以下が好ましい。洗浄工程の後の脱水後の衣料に（ａ）成分である香料由来の香りを賦与できる点から、前記質量比は、３以上がより好ましく、３．５以上がより好ましい。衣料から（ｆ）成分由来の油っぽい臭いを感じにくくする点で、前記質量比は、７．５以下が好ましく、７以下がより好ましく、６．５以下がより好ましい。
なお、（ｆ）成分の質量は、脂肪酸イオンの対イオンを酸型に換算した質量とする。
【００６１】
本発明の衣料用液体洗浄剤組成物の２０℃のｐＨは、香料の保存安定性の点で、６以上、更に６．５以上、更に７以上が好ましく、そして、１１以下、更に９以下、更に８以下が好ましい。ｐＨは、ＪＩＳ Ｋ３３６２：１９９８の項目８．３に記載の方法で測定し、その際温度は記載の２０℃で測定する。
【００６２】
本発明の衣料用液体洗浄剤組成物は、洗浄時間が１分以上、７分以下の洗浄方法に用いることができる。本発明の衣料用液体洗浄剤組成物は、例えば１０分という通常の適度な洗浄時間で十分な洗浄力が得られることに加えて、１０分の洗浄時間の場合と同等の香りの強さを洗浄工程の後の脱水後の衣料に付与できる。そのため、本発明の衣料用液体洗浄剤組成物を洗浄時間が１分以上、７分以下の洗浄方法に用いることは、作業者に洗浄時間の短縮しても香り付与効果が維持されることをより顕著に実感させるものとなる。
【００６３】
〔衣料の洗浄方法〕
本発明は、水１リットルに対して、本発明の衣料用液体洗浄剤組成物を０．１ｇ以上、２ｇ以下の割合で添加して調製した洗浄液で、衣料の質量（ｋｇ）と前記洗浄液の量（リットル）で表される浴比が、洗浄液の量（リットル）／衣料の質量（ｋｇ）＝３以上、５０以下の条件で、衣料を１分間以上、７分間以下洗浄する、衣料の洗浄方法を提供する。
【００６４】
洗浄液を調製する水としては、特に制限はないが、水道水、河川水、井戸水、湧き水、イオン交換水等が挙げられる。とりわけ、カルシウムイオンやマグネシウムイオンなどの硬度成分を含む水を使用することが、（ａ）成分由来の香りを、洗浄工程の後の脱水後の衣料から強く香らせることができる点で好ましい。
【００６５】
水中のマグネシウムイオンやカルシウムイオンなどの硬度成分が、（ｃ）成分のカルボン酸とイオン結合することで、（ｃ）成分を適度に疎水化し、ＬｏｇＰが３以上、５以下の疎水性の高い香料成分である（ａ）成分と混ざり易くなり、疎水性の高い化合物群の量が見かけ上増加することで、短い洗浄時間でも洗浄工程の後の脱水後の衣料に付着しやすくなっていると考えられる。（ａ）成分が短い時間でも衣料に付着し、残香性を高める点から、水の硬度はドイツ硬度で０°ＤＨを超え、１０°ＤＨ以下が好ましい。より好ましくは１°ＤＨ以上、８°ＤＨ以下が好ましい。
【００６６】
洗浄工程の後の脱水後の衣料に（ａ）成分由来の好ましい香りを強く付与できる点で、水１リットルに対する、衣料用液体洗浄剤組成物の投入量が、質量で０．１ｇ以上が好ましく、０．２ｇ以上が好ましい。洗浄工程の後の脱水後の衣料から香る香りを適度にできる点で、２ｇ以下が好ましく、１．５ｇ以下がより好ましく、１ｇ以下が更に好ましい。
【００６７】
本発明の衣料の洗浄方法は、洗浄時間が短くても、洗浄工程の後の脱水後の衣料から（ａ）成分由来の香りを強く香らせることが出来る。残香性向上の点で洗浄時間は１分以上であり、２分以上が好ましく、３分以上がより好ましい。着香速度の向上の効果がより得られる点で、７分以下であり、５分以下が好ましい。
【００６８】
洗浄液の温度は、洗浄工程の後の脱水後の衣料への香り付与の点で０℃以上、４０℃以下であることが好ましい。（ａ）成分由来の香りを洗浄工程の後の脱水後の衣料から強く香らせる点で、０℃以上が好ましく、３℃以上がより好ましく、５℃以上が更に好ましい。洗浄工程の後の脱水後の衣料の残香性をより高める点で、３５℃以下が好ましく、３０℃以下がより好ましい。
【００６９】
近年、洗濯機の大型化に伴い、衣料の質量と洗浄液の水量（リットル）の比で表される浴比（洗浄液の水量（リットル））／衣料の質量（ｋｇ）の値が小さくなる傾向にある。浴比が小さくなると、家庭用洗濯機を用いた場合には、攪拌による機械力が衣料に伝わりにくくなり、洗浄液中の（ａ）成分が衣料全体に均一に付着しにくくなる。本発明の衣料の洗浄方法は、浴比が小さい洗浄条件下でも、洗浄工程の後の脱水後の衣料全体の残香性を高めることができる。洗浄工程の後の脱水後の衣料の残香性の向上が良好である点で、浴比は３以上、５０以下であり、衣料に均一に（ａ）成分を付着できる点で４以上が好ましく、５以上がより好ましい。洗浄工程の後の脱水後の衣料の残香性をより高める点で、４５以下が好ましく、４０以下がより好ましく、３０以下が更に好ましく、２０以下がより更に好ましい。
【００７０】
本発明の洗浄方法では、洗浄液は、本発明の衣料用液体洗浄剤組成物を０．０１質量％以上、更に０．０２質量％以上、そして、０．２質量％以下、更に０．１質量％以下を含有することが好ましい。また、洗浄液は（ａ）成分の含有量と（ｂ）成分の含有量の合計で０．００２質量％以上、更に０．００４質量％以上、そして、０．０２質量％以下、更に０．０１質量％以下を含有することが好ましい。
【００７１】
本発明の衣料の洗浄方法は、繊維の精練方法のように、ローラー等で繊維を送りながら、精錬に使用する液に浸漬する方法よりも、消費者の用途に合わせて繊維を構成した衣料の様に、均一に機械力がかからないような対象物に対して、本発明のより優れた着香効果が得られる。また、回転式洗浄方法において本発明の洗浄方法は適している。回転式洗浄方法とは、回転機器に固定されていない衣料が洗浄液と共に、回転軸の周りに回転する洗浄方法を意味する。回転式洗浄方法は回転式洗濯機により実施できる。従って、本発明では、衣料の洗浄を、回転式洗濯機を用いて行うことが好ましい。
【実施例】
【００７２】
（１）衣料用液体洗浄剤組成物の調製
３００ｍｌのガラス製ビーカーに、直径６０ｍｍのスターラーピース（テフロン（登録商標）製）を入れ、出来上がり質量が２００ｇ、且つ表１に記載の含有量になるように（ａ）成分、（ｂ）成分又は（ｂ’）成分、（ｃ）成分及び必要量の９５質量％の水を投入した。投入後、１００回転／分の回転数で２０分攪拌した。その後、必要に応じて（ｄ）成分、（ｅ１）成分を投入し、（ｅ２）成分で組成物のｐＨを表１に記載のｐＨに調整し、残分の水を用いて最終出来上がり質量（２００ｇ）になるように調整し、表１の衣料用液体洗浄剤組成物を得た。ｐＨは、ＪＩＳ Ｋ３３６２：１９９８の項目８．３に記載の
方法で測定した（測定時の組成物の温度は２０℃）。得られた各組成物を用い、下記の各評価を行った。表中の成分は以下のものである。結果を表１に示す。また、本発明の効果が得られると考えられる配合例を表３に示す。
【００７３】
（ａ）成分
（ａ−１）：表２に記載の香料組成物〔（ａ）成分であるＬｏｇＰが３以上の香料化合物の含有量が６７質量％〕
【００７４】
（ｂ）成分
（ｂ−１）：一般式（１）において、Ｒが炭素数１２、１４の直鎖１級アルキル基、ＡＯがプロピレンオキシ基、ｐが平均２．０、ｑが０、Ｍがモノエタノールアンモニウムの化合物〔表中の配合量は（ｂ）成分相当の酸型の配合量であり、対塩のモノエタノールアミンは（ｅ２）成分に合計した。〕。
（ｂ−２）：一般式（１）において、Ｒが炭素数１２、１４の直鎖１級アルキル基、ＡＯがプロピレンオキシ基、ｐが２．０、ｑが２．０、Ｍがモノエタノールアンモニウムの化合物であり、ＡＯとＥＯは、ＲＯ−（ＡＯ）2.0−（ＥＯ）2.0−の順でブロック結合している〔表中の配合量は（ｂ）成分相当の酸型の配合量であり、対塩のモノエタノールアミンは（ｅ２）成分に合計した。〕。
（ｂ−３）：一般式（１）において、Ｒが炭素数１２、１４の直鎖１級アルキル基、ＡＯがプロピレンオキシ基、ｐが平均０．７、ｑが２．０、Ｍがモノエタノールアンモニウムの化合物であり、ＡＯとＥＯは、ＲＯ−（ＡＯ）0.7−（ＥＯ）2.0−の順でブロック結合している〔表中の配合量は（ｂ）成分相当の酸型の配合量であり、対塩のモノエタノールアミンは（ｅ２）成分に合計した。〕。
【００７５】
（ｂ’）成分（（ｂ）成分の比較化合物）
（ｂ’−１）：一般式（１）において、Ｒが炭素数１２、１４の直鎖１級アルキル基、ｐが０、ｑが２．０、Ｍがモノエタノールアンモニウムの化合物〔表中の配合量は（ｂ’）成分相当の酸型の配合量であり、対塩のモノエタノールアミンは（ｅ２）成分に合計した。〕。
【００７６】
（ｃ）成分
（ｃ−１）：クエン酸
（ｃ−２）：安息香酸ナトリウム
【００７７】
（ｄ）成分
（ｄ−１）：炭素数１２〜１４の２級アルコールにエチレンオキサイドを平均７モル付加させた化合物〔ソフタノール７０（商品名）、株式会社日本触媒製〕
（ｄ−２）：炭素数１２の１級アルコールにエチレンオキサイドを平均４モル付加させた化合物
（ｄ−３）：炭素数１２の１級アルコールにエチレンオキサイドを平均６モル付加させた化合物
【００７８】
（ｅ１）成分
（ｅ１−１−１）：プロピレングリコール
（ｅ１−３−１）：ジエチレングリコールモノブチルエーテル
【００７９】
（ｅ２）成分
（ｅ２−１）成分：モノエタノールアミン
【００８０】
（ｆ）成分
（ｆ−１）：以下の組成を有する脂肪酸
ラウリン酸  ５０質量％、ミリスチン酸  ２０質量％、ステアリン酸１０質量％、オレイン酸  ２０質量％、不飽和基を有する脂肪酸の含有量は２０質量％
（ｆ−２）：以下の組成を有する脂肪酸
ラウリン酸  ３０質量％、ミリスチン酸  ２０質量％、ステアリン酸１０質量％、オレイン酸  ４０質量％、不飽和基を有する脂肪酸の含有量は４０質量％
【００８１】
水：次亜塩素酸塩ナトリウムを３ｍｇ／ｋｇの量で含むイオン交換水
【００８２】
（２）着香性評価
＜評価用布の調製＞
下記組成のモデル皮脂人工汚染液を布に付着して評価用布を調製した。モデル皮脂人工汚染液の布への付着は、グラビアロールコーターを用いて人工汚染液を布に印刷することで行った。モデル皮脂人工汚染液を布に付着させモデル皮脂人工汚染液を作製する工程は、グラビアロールのセル容量５８ｃｍ3／ｍ2、塗布速度１．０ｍ／ｍｉｎ、乾燥温度１００℃、乾燥時間１ｍｉｎで行った。布は木綿＃２００３（谷頭商店製）を使用した。
＊モデル皮脂人工汚染液の組成：ラウリン酸０．４質量％、ミリスチン酸３．１質量％、ペンタデカン酸２．３質量％、パルミチン酸６．２質量％、ヘプタデカン酸０．４質量％、ステアリン酸１．６質量％、オレイン酸７．８質量％、トリオレイン１３．０質量％、パルミチン酸ｎ-ヘキサデシル２．２質量％、スクアレン６．５質量％、卵白レシチン液晶物１．９質量％、鹿沼赤土８．１質量％、カーボンブラック０．０１質量％、水残部（合計１００質量％）
【００８３】
＜着香評価方法＞
内径１２ｃｍ、高さ１６ｃｍの円筒の形状のステンレスビーカーに、ドイツ硬度で４°ＤＨの水１リットルに、表１記載の衣料用液体洗浄剤組成物を０．３５ｇ投入し、評価用布（６ｃｍ×６ｃｍ）を５枚入れ、浴比が２０となるように、木綿＃２００３（６ｃｍ×６ｃｍ）を投入して調整した。ターゴトメーター（Ueshima, MS-8212、直径６．８ｃｍの円盤が、円盤の回転軸と撹拌棒の回転軸が同一軸になるように撹拌棒の末端に配置され、且つ円盤上に最大直径８ｃｍの撹拌羽根が１２０度間隔で３枚配置された撹拌棒。）にて８５ｒ／ｍｉｎで５分間洗浄した。その後、評価用布を取り出し、１分間脱水を行った（ナショナル製全自動洗濯機ＮＡ−Ｆ６０Ｅ）、５枚の評価布を重ね合わせて評価布（５）を得た。着香のための洗浄時間を１０分とした以外は、前記と同じ洗浄条件で調製した評価布（１０）を得た。評価布（１０）を基準として、評価布（５）の香調及び香りの強さを、香りの評価パネラー（３０代の女性１０人）で、下記の評価基準で評価し平均値を算出した。
【００８４】
・香調の評価
平均値で１．２以上を合格とした。値の差が０．２以上異なると優位な差と認められる。
＋２：評価布（５）から香る香りは、評価布（１０）と同様な香調である。
＋１：評価布（５）から、評価布（１０）と同様な香りがするが、やや異なる香りも香る。
０：評価布（５）から、評価布（１０）と同様な香りがかすかに香るが、明らかに異なる香りが強く香る。
【００８５】
・香りの強さの評価
平均値で１．２以上を合格とした。値の差が０．２以上異なると優位な差と認められる。
＋２：評価布（５）から香る香りの強さが、評価布（１０）と同程度の強さである。
＋１：評価布（５）から香る香りの強さが、評価布（１０）よりもやや弱い。
０：評価布（５）から香る香りの強さが、評価布（１０）よりも明らかに弱い。
【００８６】
【表１】
2014141662.tif 000002
【００８７】
＊１  表中の数字は（ａ）成分としての質量％を示す。
＊２  （ｂ）成分から取り込まれるモノエタノールアミンの量を含めてｐＨ調整に必要な量とした。
【００８８】
【表２】
2014141662.tif 000003
【００８９】
【表３】
2014141662.tif 000004